(57)【特許請求の範囲】
【請求項１】
水槽の上部開放口（９）より透明な水槽面（１０）に沿って水を層状に流下する行程と、水槽の水中に設置した接地電極（１２）によりプラスに帯電した流下水膜（１１）と、この流下水膜（１１）に近接して大気側にイオン化電極（１３）を配し、当該イオン化電極（１３）と接地電極（１２）との間に高電圧を印加する行程と、水中に浸積したフィルタ−（１５）に当該流下水膜（１１）を透過せしめた後循環ポンプ（１７）により水槽に還流する行程とを順次繰り返すことを特徴とする空気清浄化方法。
【請求項２】
水槽の上部開放口（９）より透明な水槽面（１０）に沿って水を層状に流下する流下水膜（１１）と、当該流下水膜（１１）に接地した接地電極（１２）と、この流下水膜（１１）に近接して大気側に配したイオン化電極（１３）と、当該イオン化電極（１３）にイオン化電圧を付加するための高圧直流電源（１４）と、汚染空気をろ過するため水中に浸積したフィルタ−（１５）と、フィルタ−（１５）を通過した流下水を水槽に循環する循環ポンプ（１７）とからなる空気清浄器。
【請求項３】
請求項２において、流下水を加熱する手段を備え空気清浄作用と暖房作用とを兼ね添えたことを特徴とする空気清浄器。
【請求項４】
請求項２において、流下水を冷却する手段を備え空気清浄作用と冷房作用とを兼ね添えたことを特徴とする空気清浄器。
【請求項５】
請求項２において、水を広い水槽面に沿って流下させることによって加湿効果を付加したことを特徴とする空気清浄器。
【請求項６】
請求項２において、水槽面（１０）に流下水膜を安定させるガイド（２３）を設けたことを特徴とする空気清浄器。
【発明の詳細な説明】
【０００１】
【産業上の利用分野】
本発明は、居住環境の空気を清浄とし快適に維持する空気清浄化方法および空気清浄器に関する。
【０００２】
【従来の技術】
従来の空気清浄器の構成は、図１に示すようにステンレスやアルミニュウムなどの金属板をプラス電極１とし、この表面に集塵フィルタ−２を配置しこれと対向的にマイナス電極３を配置するものとなっている。この集塵原理は図１〜図３に示す。プラス電極１とマイナス電極３との間に１０００ボルト〜６０００ボルトの電圧を印加するとマイナス電極３からプラス電極１方向にイオン風４が生じ、マイナス電極３周辺の空気および空気中に浮遊する粉塵５、雑菌６、タバコの煙７及びダニ８もプラス電極１方向に流動する。マイナス電極３に接触した粉塵、雑菌、タバコの煙は図２に示すようにマイナスに帯電し図３のようにフィルタ−に集塵・捕捉するものであった。しかし、これまでの乾式フィルタ−方法による塵埃の捕捉では、（１）フィルタ−の交換時や通電されていない時に一旦集塵・捕捉された塵埃が剥離し再び空中に浮遊する、（２）使用と共にフィルタ−の捕捉能力が低下する、（３）殺菌効果が少ない、（４）フィルタ−の再生が出来ない、エコロジ−、省資源に問題があった、（５）従来は清浄化機能のみに重点を置き清浄装置が無機的に鉄の箱に納められ人間の感性を全く留意していなかった、など問題があった。
【０００３】
【発明が解決しようとする課題】
本発明は、これまでのフィルタ−のみでの塵埃捕捉方法の欠点を補う空気清浄化方法および空気清浄器を提供するものである。すなわち、（１）フィルタ−の交換時や通電されていない時に一旦集塵・捕捉された塵埃が剥離し再び空中に浮遊することの無いものにする、（２）使用と共にフィルタ−の捕捉能力が低下することの無いようフィルタ−を簡単に再生でき省資源、省エネルギ−で経済的でエコロジ−なものにする、（３）殺菌効果を高めたものにすること、（４）人間の感性に留意し視覚的に美しく、楽しくしかも健康的な環境を維持できるものにすること、（５）夏には涼しく、冬には暖かく温度調整も可能にすること等を実現しようとするものである。
【０００４】
【課題を解決するための手段】
本発明はこれらの課題を解決したものである。図４〜図５に基づいて以下説明する。居住空間で使用される空気清浄器は塵埃を除去し空気を清浄化する機能だけでなく乾燥し過ぎを防止する役割や温度を調節する役割をも果たす装置にすることを目的とするものである。
【０００５】
図４および図５に基づいて本発明を説明する。本発明の装置は、水槽の上部開放口９より水槽面１０に沿って層状に流下する流下水膜１１と、当該流下水膜１１を接地した接地電極１２と、この流下水膜１１に近接して大気側に塵埃をイオン化するイオン化電極１３と、イオン化電圧を付加するための高圧直流電源１４と、汚染空気をろ過するため水中に浸積した一次フィルタ−１５と二次フィルタ−１６、フィルタ−を通過した流下水を水槽に循環する循環ポンプ１７とからなる空気清浄器である。
【０００６】
（４）更に詳しく、図５に基づいて説明すると、水槽の上部開放口９より水槽面１０に沿って層状に流れる流下水膜１１は高圧直流電源１４と接地電極１２を通してプラスに帯電している。当該流下水膜１１を接地電極とし、この流下水膜１１に近接して大気側にイオン化電極１３を配置し、当該イオン化電極１３と接地電極１２との間に高電圧を印加すると流下水膜１１もプラスに帯電する。特に水が滑らかに流れるように水槽面１０の上端面の角には外側に向けて緩やかなア−ルを付けた。さらに水槽の材質をガラス、アクリル、塩化ビニ−ル，ポリカ−ボネイトなどの透明な絶縁材料を使用した。透明な水槽を用いると水槽中に浮かべたプラスチックの玩具魚を観察する事が出来る。プラスチックの玩具魚は水より若干比重を大きくした方が浮いたり沈んだりしてあたかも本当の魚が泳いでいるように見えて都合がよい。
【０００７】
塵、雑菌、ダニやタバコの煙がイオン化電極１３でマイナス６０００ボルトに印加され水中に向かって静電的に吸引され、タバコのヤニは水に溶解し除去される。
【０００８】
【発明の作用・効果】
本発明は、これまで機能のみを追求してきた空気清浄器に対して、人間に優しい、人間の感性を重視した空気清浄化方法および空気清浄器を提供するものである。水槽面に沿って水を膜状に流下するとこれと接した塵埃は水に取り込まれることは常識として良く知られていた。しかしこれには塵埃を積極的に吸引する作用はなく偶然近づいてきた塵埃を取り込むだけで、これでは空気清浄作用があるとは云えなかった。本発明は、塵埃やタバコの煙などをマイナス４０００ボルト〜マイナス６０００ボルトに印加し、壁面に流下する水膜をプラスに接地すると、マイナスに帯電された塵埃、タバコの煙、ダニ、雑菌等は水膜に静電吸引されることを利用している。
【０００９】
従来の流下水を活用した電気集塵機は金属板に水を水膜状に流下させ、金属板を直接接地してプラスにして塵埃等を静電吸引して除去するものであったが、本発明の最大の特徴点は、金属板を使用せずガラス、アクリル、塩化ビニ−ル，ポリカ−ボネイトなどの透明な水槽面１０すなわち壁面を使用して接地電極を水槽中に設置し水を帯電させ塵埃を強制的に除去することにある。
【００１０】
【実施例１】
図４は本発明の一実施例の断面図である。この図４に基づいて本発明を説明する。機能部収納容器１８は循環ポンプ１７や高圧直流電源１４を収納する部分と水の貯槽部分に２分割されている。水の貯槽部はさらに簀の子状仕切板で仕切られ、その仕切板には通常のフィルタ−を載置する。貯水部の水は、二次フィルタ−１６に導かれより微細な塵埃を除去された後、循環ポンプ１７により強制的に送水される。この二次フィルタ−１６は随時交換することが出来る。高圧直流電源１４のマイナス側は絶縁された高圧ケ−ブル１９によりイオン化電極１３に連結される一方、プラスの接地電極１２はア−ス線２０により接地される。接地電極１２によりプラスに帯電された水は水槽の上方へ上がり開口した上部開放口９から水槽面１０に沿って膜状に自然流下させている。図６には本発明装置の全体外観図を示している。イオン化電極１３は図６に示すように水膜面に沿って５ｍｍの間隔に張り渡し、感電等を予防するための安全柵２１を設けている。更に、水の噴流口２２から噴出される水によりプラスチック製の玩具魚（水の比重より若干重くしたもの）が上下左右に舞い上がり急降下しあたかも本当の魚であるかの如くファジイ的に動く。従来の方式のものは水の中に空気を吹き込みこれにより生じた空気泡やマグネットで動かすものであって本発明のように水の噴流で動作させる方式は公知ではない。更にまた、水をきれいな層状に水膜とするためには水の片寄りによる乱れを防止し安定な水膜を作るために一定間隔にガイド２３が設けられている。
【００１１】
【実施例２】
本発明は空気清浄機能を主な目的とするが、他の目的は大きな水槽面１０を利用して温度や湿度を調節することにある。冬期に暖房がされると乾燥しカゼを引き易くなったり色々と健康に問題がある。本発明の空気清浄器は常に大きい面積の水膜面があるのでこれから蒸発し湿度を補充することが出来る。さらには、循環水を４０℃程度に加温すると暖房を兼ねて湿度も一定に保つことが出来る。
【００１２】
【実施例３】
一方、夏の暑い期間は５℃以下に冷却した水を循環することによって部屋を冷房する事も出来る。
【００１３】
【図面の簡単な説明】
【図１】従来方法の説明図。
【図２】従来方法の説明図。
【図３】従来方法の説明図。
【図４】本発明装置の断面図。
【図５】本発明の部分拡大断面図。
【図６】本発明装置の外観図。
【符号の説明】
１ プラス電極
２ 集塵フィルタ−
３ イオン化電極
４ イオン風
５ 粉塵
６ 雑菌
７ タバコの煙
８ ダニ
９ 上部開放口
１０ 水槽面
１１ 流下水膜
１２ 接地電極
１３ イオン化電極
１４ 高圧直流電源
１５ 一次フィルタ−
１６ 二次フィルタ−
１７ 循環ポンプ
１８ 機能部収納容器
１９ 高圧ケ−ブル
２０ ア−ス線
２１ 安全柵
２２ 噴流口
２３ ガイド
【図１】
0003737174.tif 000002
【図２】
0003737174.tif 000003
【図３】
0003737174.tif 000004
【図４】
0003737174.tif 000005
【図５】
0003737174.tif 000006
【図６】
0003737174.tif 000007